(57)【要約】【課題】  軒樋が収納される箱体への衝撃に対して、軒樋の変形、破損、擦傷等を防止することができる軒樋の梱包構造を提供する。【解決手段】  底壁の両側縁から立設した側壁の上端に耳部６１を有する軒樋６が箱体７内に積層収納されてなる軒樋の梱包構造１において、最上位の軒樋５内には上部緩衝部材３が配置され、最下位の軒樋４下方には軒樋４の底壁４１および両側壁４２にそれぞれ当接する底板２１および側板２２からなる下部緩衝部材２が配置され、上部緩衝部材３はその上面が箱体７の天板７１に当接して最上位の軒樋５の上端と箱体７の天板７１との間に衝撃吸収空間Ａを形成し、下部緩衝部材２の少なくとも底板２１が衝撃吸収空間Ａを内在する緩衝質材からなり、側板２２の上端は耳部４３に当接しない。【選択図】図１
2008081138.tif 000002
【特許請求の範囲】
【請求項１】
底壁の両側縁から立設した側壁の上端に耳部を有する軒樋が箱体内に積層収納されてなる軒樋の梱包構造において、最上位の軒樋内には上部緩衝部材が配置され、最下位の軒樋下方には軒樋の底壁および両側壁にそれぞれ当接する底板および側板からなる下部緩衝部材が配置され、上部緩衝部材はその上面が箱体天板に当接して最上位の軒樋の上端と箱体天板との間に衝撃吸収空間を形成し、下部緩衝部材の少なくとも底板が衝撃吸収空間を内在する緩衝質材からなり、側板の上端は耳部に当接しないことを特徴とする軒樋の梱包構造。
【請求項２】
衝撃吸収空間を内在する緩衝質材がダンボール材である請求項１に記載の軒樋の梱包構造。
【請求項３】
上部緩衝部材が、軒樋内に嵌合する角型筒体である請求項１に記載の軒樋の梱包構造。
【請求項４】
上部緩衝部材が、ダンボール材であることを特徴とする請求項１または３に記載の軒樋の梱包構造。
【発明の詳細な説明】
【技術分野】
【０００１】
本発明は、軒樋の梱包構造に関するものである。
【背景技術】
【０００２】
従来、上方に開口する角型の軒樋を上下方向に複数積み重ねて、ダンボールなどの箱体に収納する際に、箱体内部の最上位の軒樋の上方の空間を発泡スチロール樹脂製の上緩衝材で埋めるとともに、箱体内部の最下位の軒樋の下方の空間を古紙を再生して抄造プレスして形成されてなる下緩衝材で埋めるようにした軒樋の梱包構造が知られている（例えば、特許文献１参照）。
【特許文献１】実開平５−６２４８７号公報
【発明の開示】
【発明が解決しようとする課題】
【０００３】
この特許文献１に記載されるような軒樋の梱包構造は、例えば、軒樋を収納した箱体の輸送中の荷扱い時において外部から衝撃を受けた場合、箱体内部の空間を隙間無く埋めた緩衝部材で衝撃を受けることにより、箱体自体の変形や破損あるいは収納されている軒樋の変形、破損または積み重ねた軒樋同士が接触して軒樋表面に擦傷が生じないようにしている。
【０００４】
しかしながら、上記の軒樋の梱包構造において箱体自体が変形してしまうような強い衝撃が加わった場合、もはや緩衝部材で十分に衝撃を緩和することができず、軒樋の変形、破損、擦傷等を十分に防止することができない場合があった。このため、収納された軒樋への衝撃ができるだけ緩和されるような軒樋の梱包構造が望まれているのが実情である。
【０００５】
本発明は、以上の通りの事情に鑑みてなされたものであり、軒樋が収納される箱体への衝撃に対して、軒樋の変形、破損、擦傷等を防止することができる軒樋の梱包構造を提供することを課題とする。
【課題を解決するための手段】
【０００６】
本発明は、上記の課題を解決するために、第１に、底壁の両側縁から立設した側壁の上端に耳部を有する軒樋が箱体内に積層収納されてなる軒樋の梱包構造において、最上位の軒樋内には上部緩衝部材が配置され、最下位の軒樋下方には軒樋の底壁および両側壁にそれぞれ当接する底板および側板からなる下部緩衝部材が配置され、上部緩衝部材はその上面が箱体天板に当接して最上位の軒樋の上端と箱体天板との間に衝撃吸収空間を形成し、下部緩衝部材の少なくとも底板が衝撃吸収空間を内在する緩衝質材からなり、側板の上端は耳部に当接しないことを特徴としている。
【０００７】
第２には、上記の特徴に加え、衝撃吸収空間を内在する緩衝質材がダンボール材であることを特徴としている。
【０００８】
第３には、上記の特徴に加え、上部緩衝部材が、軒樋内に嵌合する角型筒体であることを特徴としている。
【０００９】
第４には、上記の特徴に加え、上部緩衝部材が、ダンボール材であることを特徴としている。
【発明の効果】
【００１０】
上記第１の発明によれば、下部緩衝部材の底板が衝撃吸収空間を内在する緩衝質材であるため、箱体下方からの衝撃を底板が吸収し、最下位の軒樋の底壁及び底角部の軒樋の変形、破損、擦傷を回避することができる。
【００１１】
また、下部緩衝部材の底板および両側板が、最下位の軒樋の底壁および両側壁にそれぞれ当接することによって、縦または横方向の揺れで軒樋と箱体とのずれやがたつきが生じた場合にも、軒樋と下部緩衝部材が一体となって動くことができ、最下位の軒樋の底壁や底角部にかかる摩擦、衝撃を軽減して、擦傷や破損を回避することができる。
【００１２】
さらに、上部緩衝部材の上面が箱体天板に当接して最上位の軒樋の上端と箱体天板との間に衝撃吸収空間が形成することによって、箱体上方からの衝撃を吸収するとともに、最上位の軒樋の耳部に直接衝撃が加わらないため、耳部の変形、破損、擦傷を回避することができる。
【００１３】
上記第２の発明によれば、上記の発明の効果に加え、衝撃吸収空間を内在する緩衝質材がダンボール材とすることによって、軽量化できるとともにコストも削減できる。
【００１４】
上記第３の発明によれば、上記の発明の効果に加え、上部緩衝部材が、軒樋内に嵌合する角型筒体であることによって、軒樋との接面に衝撃を分散することができ、さらに耐衝撃性が増すとともに、軽量化できてコストも削減できる。
【００１５】
上記第４の発明によれば、上記の発明の効果に加え、上部緩衝部材をダンボール材とすることによって、さらに軽量化できてコストも削減できる。
【発明を実施するための最良の形態】
【００１６】
図１は、本発明の軒樋の梱包構造の実施形態を示した断面図である。
【００１７】
複数の軒樋６を梱包する際には、例えば、図１の梱包構造１のように、下部緩衝部材２と上部緩衝部材３を用いて梱包することができる。以下、本発明の実施の形態について詳しく説明する。
【００１８】
下部緩衝部材２は、底板２１の両側縁に側板２２が立設されていて、これら底板２１および側板２２は、最下位の軒樋４の底壁４１及び側壁４２の外側に当接している。加えて、下部緩衝部材２の側板２２の上端は、最下位の軒樋４の耳部４３の下方に位置し、耳部４３とは当接していない。
【００１９】
下部緩衝部材２の底板２１は、衝撃吸収空間Ａを内在する緩衝質材からなる。例えば、図１のように、緩衝質材はダンボール材としてもよいし、その他一般的なスポンジ、綿等のクッション材としてもよい。また、下部緩衝部材２の底板２１以外の材質については特に制限されないが、コスト、軽量性を考慮すれば、ダンボール材を好適に用いることができ、また、下部緩衝部材２の底板２１と同様の素材を用いて一体化した方がコストを軽減できる。
【００２０】
通常は、運搬の最中に箱体７を床に置いた時など箱体７の下方からの衝撃を受け、その衝撃は最初に最下位の軒樋４の底壁４１に加わり、変形、破損、擦傷を招く。このような場合、本発明においては下部緩衝部材２の底板２１が衝撃吸収空間Ａを内在する緩衝質材からなるため、衝撃は直接に最下位の軒樋４の底壁４１に加わらず、底壁４１及び底角部４４の擦傷や破損を回避することができる。
【００２１】
また、運搬中の車などでは縦または横方向の揺れも発生し、軒樋６（特に最下位の軒樋４）と箱体７とのずれやがたつきが生じて、底壁４１や底角部４４の擦傷や破損が多々見られる。このような場合、本発明においては、底板２１及び両側板２２が底壁４１及び両側壁４２に当接しているので、下部緩衝部材２が最下位の軒樋４と一体となって動くことができ、最下位の軒樋４の底壁４１や底角部４４にかかる摩擦、衝撃を軽減して、擦傷や破損を回避することができる。
【００２２】
一方、上部緩衝部材３は、最上位の軒樋５内に配置され、その上面３１が箱体７の天板７１に当接している。この構成によって、最上位の軒樋５の上端と天板７１との間に衝撃吸収空間Ａを形成させている。
【００２３】
つまり、上部緩衝部材３の上面３１は最上位の軒樋５の耳部５３よりも相対位置として上方に位置し、衝撃吸収空間Ａを形成できる形状であれば、その他細部の形状および材質等は特に制限はない。重量、コスト等も考慮して適宜選択することが望ましく、例えば、図１のように、最上位の軒樋５の底壁５１及び側壁５２の内側に当接するように上面３１、下面３２、両側面３３の４面で形成され、角型筒体としたダンボール材が選択される。
【００２４】
通常は、箱体７を保管する時には、箱体７を上に積載して保管するため、箱体７の上に別体の箱体を置いた瞬間の衝撃や積載状態の重みによって、箱体７内部に積層された軒樋６、特に密に積層している耳部６１に負担がかかり、変形や破損を招く。このような場合、本発明においては、最上位の軒樋５の上端と天板７１との間の衝撃吸収空間Ａによって、上からの衝撃あるいは重みが直接耳部５３に加わらないため、耳部６１の変形や破損を回避することができる。
【００２５】
例えば、梱包手順としては、
（Ａ）まず、箱体７の底に、下部緩衝部材２を置き、
（Ｂ）次いで、下部緩衝部材２の上に、軒樋６を嵌挿し、
（Ｃ）そして、最上位の軒樋５の上に、上部緩衝部材３を嵌挿し、
（Ｄ）最後に、箱体７の天板７１を閉めて、
梱包することができる。ここで、軒樋６は複数嵌挿するが、一つずつ嵌挿してもよいし、軒樋６を重ね合わせたものを嵌挿してもよい。あるいは、箱体７は、箱に組み立てられる前の展開体として箱体７の底にあたる面に下部緩衝部材２を置き、軒樋６及び上部緩衝部材３を嵌挿した後に組み立ててもよい。ただし、後で箱を組み立てる場合は、嵌挿作業が簡便であるが、軒樋６を積み上げた際の安定性に欠けるため、軒樋６の個数が少ない場合に好適に用いることができる。
【００２６】
もちろん本発明は以上の例に限定されるものではなく、細部については様々な態様が可能であることは言うまでもない。
【図面の簡単な説明】
【００２７】
【図１】本発明の軒樋の梱包構造の実施形態を示した断面図である。
【符号の説明】
【００２８】
１  梱包構造
２  下部緩衝部材
２１  底板
２２  側板
３  上部緩衝部材
３１  上面
３２  下面
３３  側面
４  最下位の軒樋
４１  最下位の軒樋の底壁
４２  最下位の軒樋の側壁
４３  最下位の軒樋の耳部
４４  最下位の軒樋の底角部
５  最上位の軒樋
５１  最上位の軒樋の底壁
５２  最上位の軒樋の側壁
５３  最上位の軒樋の耳部
６  軒樋
６１  耳部
７  箱体
７１  箱体の天板
Ａ  衝撃吸収空間
【図１】
2008081138.tif 000003